(57)【要約】【課題】本考案は、特に上腕後側を引き締める効果が期待できるとともに、着用者の上半身の外観を整えることができるサポートウェアを提供することを目的とする。【解決手段】サポートウェア１は、胴体を覆う後身頃２及び前身頃３と、該後身頃２及び前身頃３に連続されるとともに両腕部を覆う両袖部４と、を備えている。後身頃２は、両肩甲骨の各々を覆う一対のサポート部２１と、該一対のサポート部間に設けられて一対のサポート部を互いに引き寄せる引寄部２２と、を備えて構成され、一対のサポート部２１の各々は、その一対のサポート部２１が並ぶ方向の伸長率が、引寄部２２の伸長率よりも大きくなるように形成されている。両袖部の各々には、各腕部の上腕を縮径方向に締め付ける上腕締付部４Ａが設けられている。【選択図】図１
0003182094.tif 000002
【実用新案登録請求の範囲】
【請求項１】
胴体を覆う後身頃及び前身頃と、該後身頃及び前身頃に連続されるとともに両腕部を覆う両袖部と、を備えたサポートウェアであって、
前記後身頃は、両肩甲骨の各々を覆う一対のサポート部と、該一対のサポート部間に設けられて前記一対のサポート部を互いに引き寄せる引寄部と、を備えて構成され、
前記一対のサポート部の各々は、その前記一対のサポート部が並ぶ方向の伸長率が、前記引寄部の伸長率よりも大きくなるように形成され、
前記両袖部の各々には、前記各腕部の上腕を縮径方向に締め付ける上腕締付部が設けられていることを特徴とするサポートウェア。
【請求項２】
前記上腕締付部は、第１上腕締付部と、前記第１上腕締付部よりも締付力が大きい帯板状の第２上腕締付部と、を備え、
前記第１上腕締付部と前記第２上腕締付部とが、各腕部の軸方向に交互に設けられているとともに、各腕部の外周部における内側から外側に向かうに従って上方に向かって傾斜して設けられていることを特徴とする請求項１記載のサポートウェア。
【請求項３】
前記上腕締付部に連続して形成されて各腕部の腕先を覆う腕先締付部をさらに備え、
前記腕先締付部が、第１腕先締付部と、前記第１腕先締付部よりも締付力が小さい帯板状の第２腕先締付部と、を備え、
前記第１腕先締付部と前記第２腕先締付部とが、各腕の軸方向に交互に設けられているとともに、各腕部の外周部における内側から外側に向かうに従って下方に向かって傾斜して設けられていることを特徴とする請求項１又は請求項２記載のサポートウェア。
【請求項４】
前記前身頃、前記後身頃及び、前記各袖部に亘って設けられているとともに、肩を覆う無圧部をさらに備え、
前記無圧部が各腕の動作を妨げるのを防止することを特徴とする請求項１乃至請求項３のうちいずれか一項記載のサポートウェア。
【請求項５】
前記前身頃は、前記両袖部に連続して形成されるとともに互いの間にバスト部を露出させる開口部を有する一対の第２サポート部と、前記一対の第２サポート部及び前記開口部の下方側に設けられた第３サポート部と、を備えて構成されていることを特徴とする請求項１乃至請求項４のうちいずれか一項記載のサポートウェア。
【考案の詳細な説明】
【技術分野】
【０００１】
本考案は、胴体を覆う後身頃及び前身頃と、該後身頃及び前身頃に連続されるとともに両腕を覆う両袖部と、を備えたサポートウェアに関する。
【背景技術】
【０００２】
一般に、上腕（二の腕）における後側には、弛みが生じ易く、この弛み部分は、腕の動作時には揺れやすい。特に、弛み部分が大きい場合には、上下左右に大きく揺れることがあり、特に女性は、外観を整えるために二の腕を露出させない衣類を着用するなどして、弛み部分を隠すことがあった。しかしながら、腕に密着した衣類を着用した場合には、外観からも肉の揺れが目視されてしまう場合があった。
【０００３】
この問題を解決するために、腕の動作時に、二の腕における弛み部分が揺れるのを防止する機能を備えた衣類が提案されている（特許文献１参照）。上述した特許文献１に記載された袖付き衣類１０１は、図７に示すように、脇下近傍から腕後側を通り肘上で袖の正中線Ｐ１を越えて腕前側に達するように斜行する帯状部１０６を設けている。この帯状部１０６は上腕に生じる着用者の肉の弛みを押さえるために、他の部位１０５よりも緊締力が強くなるように形成されている。このような従来の衣類が着用されると、帯状部１０６が肉の弛んだ腕後側部を通るために、その緊締力で弛んだ肉を押さえ、肉の弛み及び揺れを防止して、着用者の外観を整えていた。
【先行技術文献】
【特許文献】
【０００４】
【特許文献１】特許第４２８４０３２号公報
【考案の概要】
【考案が解決しようとする課題】
【０００５】
ところで、二の腕における弛み部分は、上腕の外側に位置する上腕三等筋の衰えが原因で発生する。この上腕三等筋は、日常生活を送る上で使われない筋肉であるから、二の腕における弛み部分を引き締めるためには、上腕三等筋を収縮させるような特別な筋肉トレーニングをしなければならず、面倒であるとともに、手間がかかるという問題があった。従来のインナウェア（衣類）１０１では、帯状部１０６が、その緊締力で弛んだ肉を押さえ、肉の弛み及び揺れを防止していただけだから、上腕三等筋を収縮させて二の腕における弛み部分を引き締める効果は期待できなかった。
【０００６】
本考案は、特に上腕後側を引き締める効果が期待できるとともに、着用者の上半身の外観を整えることができるサポートウェアを提供することを目的とする。
【課題を解決するための手段】
【０００７】
請求項１に記載の本考案は、  胴体を覆う後身頃及び前身頃と、該後身頃及び前身頃に連続されるとともに両腕部を覆う両袖部と、を備えたサポートウェアであって、前記後身頃は、両肩甲骨の各々を覆う一対のサポート部と、該一対のサポート部間に設けられて前記一対のサポート部を互いに引き寄せる引寄部と、を備えて構成され、前記一対のサポート部の各々は、その前記一対のサポート部が並ぶ方向の伸長率が、前記引寄部の伸長率よりも大きくなるように形成され、前記両袖部の各々には、前記各腕部の上腕を縮径方向に締め付ける上腕締付部が設けられていることを特徴とするサポートウェアである。
【０００８】
請求項２に記載の発本明は、請求項１記載の本考案において、前記上腕締付部は、第１上腕締付部と、前記第１上腕締付部よりも締付力が大きい帯板状の第２上腕締付部と、を備え、前記第１上腕締付部と前記第２上腕締付部とが、各腕部の軸方向に交互に設けられているとともに、各腕部の外周部における内側から外側に向かうに従って上方に向かって傾斜して設けられていることを特徴とする。
【０００９】
請求項３に記載の本考案は、請求項１又は請求項２記載の本考案において、前記上腕締付部に連続して形成されて各腕部の腕先を覆う腕先締付部をさらに備え、前記腕先締付部が、第１腕先締付部と、前記第１腕先締付部よりも締付力が小さい帯板状の第２腕先締付部と、を備え、前記第１腕先締付部と前記第２腕先締付部とが、各腕の軸方向に交互に設けられているとともに、各腕部の外周部における内側から外側に向かうに従って下方に向かって傾斜して設けられていることを特徴とする。
【００１０】
請求項４に記載の本考案は、請求項１乃至請求項３のうちいずれか一項記載の本考案において、前記前身頃、前記後身頃及び、前記各袖部に亘って設けられているとともに、肩を覆う無圧部をさらに備え、前記無圧部が各腕の動作を妨げるのを防止することを特徴とする。
【００１１】
請求項５に記載の本考案は、請求項１乃至請求項４のうちいずれか一項記載の本考案において、前記前身頃は、前記両袖部に連続して形成されるとともに互いの間にバスト部を露出させる開口部を有する一対の第２サポート部と、前記一対の第２サポート部及び前記開口部の下方側に設けられた第３サポート部と、を備えて構成されていることを特徴とする。
【考案の効果】
【００１２】
請求項１に記載の本考案によれば、サポートウェアは、後身頃が、両肩甲骨の各々を覆う一対のサポート部と、該一対のサポート部間に設けられて一対のサポート部を互いに引き寄せる引寄部と、を備えて構成され、両袖部の各々には、各腕の上腕を縮径方向に締め付ける上腕締付部が設けられていることにより、一対のサポート部に覆われた両肩甲骨同士が、引寄部により互いに引き寄せられて、両肩甲骨が正しい位置に位置付けられ、これに伴い、両腕部が胴体に対して後方側に引き寄せられることとなり、両腕部の運動範囲が広げられるとともに、両腕部を動かし易くできる。この状態で、両腕部を動作させることにより、特別な筋肉トレーニングを行わずとも、該筋肉トレーニングを行うのと同様の刺激を上腕三頭筋に与えて、上腕三頭筋の収縮を促すことができ、上腕後側を引き締める効果が期待できる。さらに、上腕締付部が、上腕後側の弛みを押さえるとともに、該弛み部分が動作時に揺れないサポート機能を備えるから、着用者の上半身の外観を整えることができる。
【００１３】
請求項２に記載の本考案によれば、上腕締付部が、第１上腕締付部と、第１上腕締付部よりも締付力が大きい帯板状の第２上腕締付部と、を備え、第１上腕締付部と第２上腕締付部とが、各腕部の軸方向に交互に設けられているとともに、各腕部の外周部における内側から外側に向かうに従って上方に向かって傾斜して設けられているから、第１上腕締付部と第２上腕締付部とによって、各腕部の外周部における内側から外側に向かうに従って上方に向かう方向性が生じる。即ち、第１上腕締付部と第２上腕締付部とが、上腕三等筋に対して、斜めに引き上げる方向（内側から外側に向かう方向）に力を生じさせるから、上腕三等筋に筋肉トレーニングを行うのと同様の刺激を与えて、上腕三頭筋の収縮を促すことができ、上腕後側を引き締める効果がさらに期待できる。
【００１４】
請求項３に記載の本考案によれば、上腕締付部に連続して形成されて各腕部の腕先を覆う腕先締付部をさらに備え、腕先締付部が、第１腕先締付部と、第１腕先締付部よりも締付力が小さい帯板状の第２腕先締付部と、を備え、第１腕先締付部と第２腕先締付部とが、各腕の軸方向に交互に設けられているとともに、各腕部の外周部における外側から内側に向かうに従って上方に向かって傾斜して設けられているから、第１腕先締付部と第２腕先締付部とによって、各腕部の外周部における外側から内側に向かうに従って上方に向かう方向性が生じる。即ち、第１腕先締付部と第２腕先締付部とが、腕先の筋肉に対して、斜めに引き上げる方向（外側から内側に向かう方向）に力を生じさせることになる。したがって、腕先締付部は、上腕締付部と同じ方向側に力を生じさせることとなり、上腕三等筋に、より一層の刺激を与えて、より一層、上腕三頭筋の収縮を促すことがでる。
【００１５】
請求項４に記載の本考案によれば、無圧部が設けられているから、着用時において、肩の動きを楽にして、各腕の動作を妨げるのを防止できる。
【００１６】
請求項５に記載の本考案によれば、前身頃は、両袖部に連続して形成されるとともに互いの間にバスト部を露出させる開口部を有する一対の第２サポート部と、一対の第２サポート部及び開口部の下方側に設けられた第３サポート部と、を備えて構成されているから、一対の第２サポート部が開口部に向かうように力を生じさせて、脇下の皮下組織（リンパを含む）を開口部に導くとともに、第３サポート部が、第３サポート部に覆われた部分を締め付けて開口部から露出したバストを下から支える力を生じさせるから、バストアップ効果を期待できるとともに、リンパ液を滞ることなく流すから、むくみが解消されるとともに新陳代謝を向上させることができる。
【図面の簡単な説明】
【００１７】
【図１】本考案の一実施の形態にかかるサポートウェアを示す平面図である。
【図２】図１に示されたサポートウェアを後方から見た平面図である。
【図３】（Ａ）は、図１に示されたサポートウェアを構成する一対のサポート部の拡大図であり、    （Ｂ）は、（Ａ）中のＩ−Ｉ線に沿う断面図である。
【図４】図１に示されたサポートウェアの作用を説明するための斜視図である。
【図５】図１に示されたサポートウェアの作用を説明するための斜視図である。
【図６】図１に示されたサポートウェアを構成する第２上腕締付部の拡大図である。
【図７】従来のサポートウェアを示す斜視図である。
【考案を実施するための形態】
【００１８】
以下、本考案に係るサポートウェアの一実施形態を、図１〜図６を参照して説明する。サポートウェア１は、図１に示すように、ブラジャー装着後に着用されるものであり、人体の胴体を覆う後身頃２及び前身頃３と、両腕部を覆う両袖部４と、後身頃２及び前身頃３の下端部に連続された環状のアンダー部５、を有し、着丈が、鳩尾（胸骨の下のくぼんだ所）を覆う程度に形成されている。さらに、サポートウェア１は、後身頃２、前身頃３及び、両袖部４に亘って設けられているとともに、肩を覆う無圧部６を有して構成されている。
【００１９】
このサポートウェア１は、１本又は２本以上の編糸で輪奈（わな、loop）をつくり、これに連ねて新しい輪奈を連続的に作って編成されてなるとともに、伸縮性（ストレッチ性）及び、弾性復元性（キックバック性）を有する編地から構成されている。ここで、胴体及び両腕部の軸方向は上下方向と記す場合があるとともに、胴体及び両腕部の軸方向に直交する方向である胴体及び両腕部の周方向は、左右方向又は、幅方向と記す場合がある。
【００２０】
後身頃２は、図２に示すように、両肩甲骨の各々を覆う一対のサポート部２１と、一対のサポート部２１間に設けられて一対のサポート部２１を互いに引き寄せる引寄部２２と、を備えている。一対のサポート部２１は、後身頃２の幅方向（左右方向）の両端部から中心部に向かって連続して設けられているとともに、引寄部２２との境界部は、上下方向の中心部に向かうに従って、幅寸法が大きくなるような弧状を有して形成されている。また、一対のサポート部２１は、肩部において前身頃３に連なり、かつ、後身頃２の左右方向の両端部における上方側の一部が、両袖部４の後側部分に連なるとともに、左右方向の両端部の下方側の他の一部（即ち、脇下部）が、前身頃３に連続されて設けられている。
【００２１】
引寄部２２は、図２に示すように、左右方向の両端部が一対のサポート部２１に連続して形成されているとともに、上下方向の中心部に向かうに従って、その幅寸法が小さくなるように形成されている。
【００２２】
また、後身頃２は、図３（Ａ）に示すように、一対のサポート部２１が、上下にうねる波形の凸部７1と、この凸部７1の上下方向側に連続された波形の凹部８1と、を備え、これら凸７1及び凹部８1が交互に設けられて構成されているとともに、ある部分で糸を針にかけずに編地の裏に浮かせて編成されている。また、一対のサポート部２１は、２種類以上の糸を用い、編成中に編針の１部を不動作にして供糸せず、一方他の糸でループ編成作用を進めると、前糸は編地裏面に直線状に浮き、これを交互に編む編み方（１０×１０フロート編み  １０コース飛び）で編成された編地から構成されている。引寄部２２は、表目と裏目を一目ごとに交互に編む編み方（１×１リブ）で編成された編地から構成されている。
【００２３】
一対のサポート部２１の各々は、その一対のサポート部２１が並ぶ方向（左右方向）の伸長率が、引寄部２２の左右方向の伸長率よりも大きくなるように形成されている。したがって、サポートウェア１の着用時には、図４に示すように、一対のサポート部２１が肩甲骨を覆うとともに、引寄部２２が、肩甲骨に覆われた一対のサポート部２１を後身頃２の中心部に向かって引き寄せる力Ｆ１が生じるとともに、着用者の肩甲骨を互いに近付けるように作用する。
【００２４】
前身頃３は、図１に示すように、両袖部４に連続して形成されるとともに互いの間にバスト部を露出させる胸ぐり部３Ａ（開口部）を有する一対の第２サポート部３１と、一対の第２サポート部３１及び胸ぐり部３Ａの下方側に設けられた第３サポート部３２と、を備えている。一対の第２サポート部３１は、前身頃３の幅方向（左右方向）の両端部から中心部に向かって連続して設けられているとともに、胸ぐり部３Ａとの境界部は、下方に向かうに従って、幅寸法が大きくなるような弧状を有して形成されている。また、一対の第２サポート部３１は、肩において後身頃２に連なって設けられ、その左右方向の両端部の上方側の一部が、両袖部４の前側部分に連なって設けられ、左右方向の両端部の下方側の他の一部（即ち、脇下部）が、後身頃２に連続されて設けられている。
【００２５】
また、前身頃３は、一対の第２サポート部３１と、第３サポート部３２と、が同じ編み方で編成された編地から構成されているとともに、後身頃２の一対のサポート部２１と同じ編み方で編成された編地から構成されている。
【００２６】
このような前身頃３は、サポートウェア１の着用時には、図５に示すように、一対の第２サポート部３１が胸ぐり部３Ａに向かうように力Ｆ２を生じさせて、脇下の皮下組織（リンパを含む）を胸ぐり部３Ａに向かって導くとともに、第３サポート部３２が、第３サポート部３２に覆われた部分を締め付けて胸ぐり部３Ａから露出したバストを下から支える力Ｆ３を生じさせる。
【００２７】
両袖部４は、図２にも示すように、後身頃２及び前身頃３の袖ぐり部に連続されて形成されて、各腕部の上腕を縮径方向に締め付ける上腕締付部４Ａと、腕先を縮径方向に締め付ける腕先締付部４Ｂと、を備えている。
【００２８】
上腕締付部４Ａは、図２に示すように、第１上腕締付部４１と、第１上腕締付部４１よりも締付力が大きい帯板状の第２上腕締付部４２と、を備え、第１上腕締付部４１と第２上腕締付部４２とが、各腕部の軸方向に交互に設けられているとともに、各腕部の外周部における内側から外側に向かうに従って上方に向かって傾斜して設けられている。
【００２９】
第１上腕締付部４１は、図６に示すように、各腕部の軸方向に沿って形成された長尺な凸部７2と、この凸部７2の周方向側に設けられた長尺な凹部８2とが、交互に設けられて構成されている。また、凸部７2には、その長手方向（軸方向）に等間隔をあけて、凹み９が形成されている。この第１上腕締付部４１は、１０コース飛び＋１×１編みで編成された編地から構成されている。第２上腕締付部４２は、後身頃２の一対のサポート部２１、前身頃３の一対の第２サポート部３１及び、第３サポート部３２と、が同じ編み方で編成された編地から構成されている。
【００３０】
このような上腕締付部４Ａは、第１上腕締付部４１の伸長率が、第２上腕締付部４２の伸長率よりも小さくなるように形成されている。したがって、サポートウェア１の着用時には、図４に示すように、第１上腕締付部４１と第２上腕締付部４２とによって、各腕部の外周部における内側から外側に向かうに従って上方に向かう方向性が生じる。即ち、第１上腕締付部４１と第２上腕締付部４２とが、着用者の上腕三等筋に対して、斜めに引き上げる方向（内側から外側に向かう方向）に力Ｆ４を生じさせる。
【００３１】
腕先締付部４Ｂは、図２に示すように、第１腕先締付部４３と、第１腕先締付部４３よりも締付力が小さい帯板状の第２腕先締付部４４と、を備え、第１腕先締付部４３と第２腕先締付部４４とが、各腕部の軸方向に交互に設けられているとともに、各腕部の外周部における外側から内側に向かうに従って上方に向かって傾斜して設けられている。
【００３２】
第１腕先締付部４３は、表目と裏目を二目ごとに交互に編む編み方（２×２リブ）で編成された編地から構成されている。第２腕先締付部４４は、後身頃２の引寄部２２と同様の編地から構成されているとともに、表目と裏目を一目ごとに交互に編む編み方（１×１リブ）で編成された編地から構成されている。
【００３３】
このような腕先締付部４Ｂは、第１腕先締付部４３の伸長率が、第２腕先締付部４４の伸長率よりも大きくなるように形成されている。したがって、サポートウェア１の着用時には、図４に示すように、各腕部の外周部における外側から内側に向かう方向性が生じる。即ち、第１腕先締付部４３と第２腕先締付部４４とが、腕先の筋肉に対して、斜めに引き上げる方向（外側から内側に向かう方向）に力Ｆ５を生じさせることができる。
【００３４】
無圧部６は、図１に示すように、両袖部４の第２腕先締付部４４、及び後身頃２の引寄部２２と同様の編地から構成されているとともに、表目と裏目を一目ごとに交互に編む編み方（１×１リブ）で編成された編地から構成されている。
【００３５】
このようなサポートウェア１は、図２に示すように、平置き時における、上腕締付部４Ａの脇下を通過する上腕締付部４Ａの周方向の寸法（上部上腕囲の寸法）Ｌ１を２０５ｍｍとなるように形成し、上部上腕囲の寸法よりも腕先側の寸法Ｌ２を２００ｍｍと成るように形成した。また、平置き時における上腕締付部４Ａと腕先締付部４Ｂとの境界部の周方向の寸法（腕先締付部４Ｂの最大囲の寸法）Ｌ３を１９０ｍｍと成るように形成し、上腕締付部４Ａと腕先締付部４Ｂとの境界部よりも腕先側の寸法（腕先締付部４Ｂの最小囲の寸法）Ｌ４を１５４ｍｍと成るように形成した。なお、本実施形態において、上記各寸法Ｌ１〜Ｌ４はあくまでも一例であり、本考案においては用途に応じて適宜設計すればよい。
【００３６】
上述したサポートウェア１によれば、着用時には、一対のサポート部２１に覆われた両肩甲骨同士が、引寄部２２により互いに引き寄せられて、両肩甲骨が正しい位置に位置付けられ、これに伴い、両腕部が胴体に対して後方側に引き寄せられることとなり、両腕部の運動範囲が広げられるとともに、両腕部を動かし易くできる。この状態で、両腕部を動作させることにより、特別な筋肉トレーニングを行わずとも、該筋肉トレーニングを行うのと同様の刺激を上腕三頭筋に与えて、上腕三頭筋の収縮を促すことができ、上腕後側を引き締める効果が期待できる。
【００３７】
その他、当業者は、従来公知の知見に従い、本考案のサポートウェア１を適宜改変することができる。かかる改変によってもなお本考案のサポートウェア１の構成を具備する限り、勿論、本考案の範疇に含まれるものである。
【符号の説明】
【００３８】
１        サポートウェア
２        後身頃
３        前身頃
４        両袖部
４Ａ      上腕締付部
４Ｂ      腕先締付部
２１      一対のサポート部
２２      引寄部
３１      一対の第２サポート部
３２      一対の第３サポート部
４１      第１上腕締付部
４２      第２上腕締付部
４３      第１腕先締付部
４４      第２腕先締付部
【図１】
0003182094.tif 000003
【図２】
0003182094.tif 000004
【図３】
0003182094.tif 000005
【図４】
0003182094.tif 000006
【図５】
0003182094.tif 000007
【図６】
0003182094.tif 000008
【図７】
0003182094.tif 000009